(57)【要約】【課題】画面を正面側から見た場合の輝度を低下させることなく、表示画面を斜め方向から覗き込む場合の視認性を低下させることが可能な表示装置を提供する。【解決手段】表示面１２を有する表示部１０を備えた表示装置であって、副光源３０と表示部１０とを設け、表示部１０は副光源３０から出射された光に基づく入射光を反射するように構成する。表示面１２で反射した光が、表示面１２に対して垂直な方向である主表示方向Ｚに対して所定以上傾いた周辺方向Ａ２に向かうので、表示面１２を斜め方向から覗き込む第３者の視点に反射光が映り込み、視認性が低下する。正面から見た視認性は低下せず、輝度も低下しない。副光源３０の光のオンオフにより覗き込み防止機能のオンオフを切り替えることもできる。【選択図】図１
2009282225.tif 000002
【特許請求の範囲】
【請求項１】
光を出射する光源と、
情報を表示するための表示部と、
を備え、
前記表示部の表示面は、前記光源によって出射された光に基づく入射光を、前記表示部による表示方面に反射する
表示装置。
【請求項２】
請求項１に記載の表示装置であって、
前記光源は、前記表示部における有効な表示領域の外側である非表示領域に配設され、
前記表示部の表示面は、前記光源によって出射された光を前記表示方面に反射する
表示装置。
【請求項３】
請求項１に記載の表示装置であって、更に、
前記表示部における有効な表示領域の外側である非表示領域に配設された反射鏡を有し、
前記反射鏡は、前記光源によって出射された光を反射し、
前記表示部の表示面は、前記反射鏡によって反射された光を前記表示方面に反射する
表示装置。
【請求項４】
請求項１に記載の表示装置であって、
前記光源は、所定の報知信号または所定の制御信号に基づいて光を出射する
表示装置。
【請求項５】
請求項２に記載の表示装置であって、更に、
前記光源のオンオフ制御を行う制御部を有し、
前記光源は、互いに異なる位置に配設された複数の発光素子を有し、
前記制御部は、前記複数の発光素子のそれぞれを選択的にオンオフ制御する
表示装置。
【請求項６】
請求項１に記載の表示装置であって、更に、
前記光源が出射する光の周波数帯を制御する制御部を有する
表示装置。
【請求項７】
請求項３に記載の表示装置であって、更に、
前記光源に対する前記反射鏡の角度を制御する制御部を有する
表示装置。
【請求項８】
請求項７に記載の表示装置であって、
前記表示部は、
液晶表示パネルと、
前記液晶表示パネルにおける前記表示面と平行な面の面積よりも前記表示面と平行な面の面積が広く、液晶表示パネルを照明するバックライトと
を有し、
前記バックライトにおいて前記バックライトと前記液晶表示パネルとが対向する対向領域の外側の領域から出射された光を、前記光源とする
表示装置。
【請求項９】
請求項７に記載の表示装置であって、
前記表示部は、情報を表示するための光を出射する自発光素子を有し、
前記自発光素子における有効な表示領域の外側の領域から出射された光を、前記光源とする
表示装置。
【発明の詳細な説明】
【技術分野】
【０００１】
本発明は、表示装置に関し、特に平面状の表示面に垂直な方向に対して傾いた斜め方向からの視認性を落とすことが可能な表示装置に関する。
【背景技術】
【０００２】
近年では、例えば携帯電話端末等の携帯型機器においては、カメラの機能やテレビ等の視聴機能を搭載している場合が多く、画面に情報を表示する表示装置としての性能も向上している。例えば、表示装置の画面の視野角を広くすることにより、１つの画面に表示させたテレビ番組等のコンテンツを複数の人間が同時に視聴することもできる。
【０００３】
一方、公共の場所等で携帯電話端末の画面に個人情報である電子メール等の内容を表示させて、ユーザがこの画面の内容を閲覧するような場合に、第３者が同じ画面を側方から覗き込む可能性があり、画面の視野角が大きいと、プライバシーの保護の観点から好ましくない場合がある。そこで、このような第３者の覗き見を防止するための様々な技術が携帯電話端末等の表示装置のために開発されている。
【０００４】
一般的に用いられている覗き見防止技術では、画面に表示する情報の階調を調整している。すなわち、液晶表示器等の表示装置においてはもともと斜め方向からの視認性が低い特性を有しているので、斜め方向からの視認性を積極的に低下させるためにガンマ値を調整し、斜め方向からは画面全体が真っ白く見えるようにしている。このような覗き見防止技術を利用している場合であっても、画面をその正面から閲覧しようとするユーザからは、十分なコントラストで表示内容を視認することができる。
【０００５】
また、他の覗き見防止従来技術として、画面上にマイクロレンズシートを配置して表示面から出射される光が正面以外の方向からは見えにくくなるようにすると共に、表示素子間の非発光スペースに反射部材を配置して、斜め方向から覗き込む場合には前記反射部材で反射する外来光の影響により視認性が落ちるように構成する技術が知られている（例えば、特許文献１参照）。
【０００６】
また、他の覗き見防止従来技術として、ユーザが反射型液晶表示器の画面を正面から見たときには明るく鮮明な表示が可能で、ユーザ以外（第３者）が斜め方向から覗き込むときには視認性が低下するような拡散反射板を備える技術が知られている（例えば、特許文献２参照）。
【０００７】
また、他の覗き見防止従来技術として、光源の前面に配置したルーバに帯状の透明領域及び吸収領域を設けて、出射される光の指向性を高めている。これにより、表示画面の斜め方向からの視認性が低下することが知られている（例えば、特許文献３参照）。
【０００８】
【特許文献１】特開２００４−１２７６６２号公報
【特許文献２】特開２００４−１３８６５７号公報
【特許文献３】特開２００６−２８５０８４号公報
【発明の開示】
【発明が解決しようとする課題】
【０００９】
しかしながら、覗き見防止のためにガンマ値を調整すると、画面を正面から見ているユーザに対しても表示品質に悪影響が現れる可能性があり、写真等の像を自然な階調で表示できなくなったり、表示色が変化する可能性もある。また、特許文献１〜特許文献３に開示されているように光学的に視野特性を調整する部材を光路の途中に配置する場合には、照明光や表示光の透過率の低下等によって画面の正面方向のユーザから見える画面の輝度が低下するのは避けられない。
【００１０】
本発明は、画面を正面側から見た場合の輝度を低下させることなく、表示画面を斜め方向から覗き込む場合の視認性を低下させることが可能な表示装置を提供することを目的とする。
【課題を解決するための手段】
【００１１】
本発明の表示装置は、光を出射する光源と、情報を表示するための表示部と、を備え、前記表示部の表示面が、前記光源によって出射された光に基づく入射光を、前記表示部による表示方面に反射する。
【００１２】
この表示装置によれば、覗き見防止のための光源を備えているため、表示画面を斜め方向から覗き込む第３者に対しては、画面の表示内容が見えにくくなる。すなわち、光源から出射された光に基づく入射光は表示部の表示画面で反射され、この反射光が表示画面の斜め方向に向かうことになるので、表示画面を斜め方向から覗き込む第３者の目には、表示画面の表示内容と同時に光源からの光が映り込むことになり、視認性が大幅に低下する。一方、表示画面を正面側（表示方面）から見ているユーザの目からは、光源からの光はほとんど見えないので、ユーザの視認性は低下しない。しかも、表示画面の前方などに覗き見防止のために特別な光学部材を配置する必要がないので、画面を正面側から見た場合の輝度の低下が生じない。
【００１３】
また、本発明の表示装置は、前記光源が、前記表示部における有効な表示領域の外側である非表示領域に配設され、前記表示部の表示面が、前記光源によって出射された光を前記表示方面に反射する。
【００１４】
この表示装置によれば、光源が表示部の非表示領域に配置されているので、表示画面を正面側から見ているユーザの目からは、光源からの光はほとんど見えなくなる。また、表示部の非表示領域は画面の周辺部に存在するので、光源から出射され、表示部の表示画面で反射された光は表示画面に垂直な方向に対して傾いた斜め方向に向かうことになる。従って、表示画面を斜め方向から覗き込む第３者の目には、表示画面の表示内容と同時に光源から出射された光が映り込むことになり、視認性が大幅に低下する。
【００１５】
また、本発明の表示装置は、前記表示部における有効な表示領域の外側である非表示領域に配設された反射鏡を有し、前記反射鏡が、前記光源によって出射された光を反射し、前記表示部の表示面は、前記反射鏡によって反射された光を前記表示方面に反射する。
【００１６】
この表示装置によれば、表示部上の非表示領域に配置されている反射鏡によって光源からの光を反射して表示部の表示面に導くので、光源を配置するための空間の確保が容易になり、表示装置の薄型化等に役立つ。例えば、反射鏡を利用することで光源の配置位置に自由度が増し、例えば比較的スペースのある場所に光源を配置し、比較的スペースがない場所に反射鏡をおくことができるため、表示装置内の設計がしやすくなる。また、反射鏡の傾きにより、覗き見防止のための光の光軸の方向調整が容易になる。
【００１７】
また、本発明の表示装置は、前記光源が、所定の報知信号または所定の制御信号に基づいて光を出射する。
【００１８】
この表示装置によれば、報知用光源を覗き見防止のための光源として共用するので、光源の数を減らすことが可能になる。例えば携帯電話端末の場合には、着信等の報知のために利用される光源を備えている場合が多く、この光源を覗き見防止用の光源として共用することが可能である。報知用には所定の報知信号に基づいて光源による光を出射し、覗き見防止用には所定の制御信号に基づいて光源による光を出射する。
【００１９】
また、本発明の表示装置は、前記光源のオンオフ制御を行う制御部を有し、前記光源が、互いに異なる位置に配設された複数の発光素子を有し、前記制御部が、前記複数の発光素子のそれぞれを選択的にオンオフ制御する。
【００２０】
この表示装置によれば、覗き見防止用の光源として複数の光源を選択的に使い分けることができる。例えば、表示画面の周辺部の左側と右側にそれぞれ光源を配置して、左側の光源をオンすれば画面の斜め右方向からの覗き込みに対して視認性を低下させることができ、右側の光源をオンすれば画面の斜め左方向からの覗き込みに対して視認性を低下させることができる。
【００２１】
また、本発明の表示装置は、前記光源が出射する光の周波数帯を制御する制御部を有する。
【００２２】
この表示装置によれば、光源の発光色を切り替えることにより出射する光の周波数帯を変化させ、表示面の斜め方向からの覗き込みに対して効果的に視認性を低下させる光の色成分を選択することが可能になる。
【００２３】
また、本発明の表示装置は、前記光源に対する前記反射鏡の角度を制御する制御部を有する。
【００２４】
この表示装置によれば、前記光源をオン状態に維持したままであっても、前記反射鏡の角度を変更することで、覗き見防止用の光のオンオフを切り替えることができる。
【００２５】
また、本発明の表示装置は、前記表示部は、液晶表示パネルと、前記液晶表示パネルにおける前記表示面と平行な面の面積よりも前記表示面と平行な面の面積が広く、液晶表示パネルを照明するバックライトとを有し、前記バックライトにおいて前記バックライトと前記液晶表示パネルとが対向する対向領域の外側の領域から出射された光を、前記光源とする。
【００２６】
この表示装置によれば、表示部の液晶表示パネルを照明するために用いるバックライトの光のうち、情報表示のために用いない光を反射鏡で反射することにより、バックライトを覗き見防止用の光源としても利用することができる。従って、バックライトの他に新たな光源を設ける必要がなくなり、構成が簡略化される。このバックライトは、液晶表示パネルの表示領域よりも大きく、その周囲の非表示領域と対向する位置でも発光するので、非表示領域に配置した反射鏡で光を表示部の画面上に導くことにより覗き見防止用の光源として有効に利用できる。
【００２７】
また、本発明の表示装置は、前記表示部は、情報を表示するための光を出射する自発光素子を有し、前記自発光素子における有効な表示領域の外側の領域から出射された光を、前記光源とする。
【００２８】
この表示装置によれば、前記表示部を構成する自発光素子自体の発光により得られる光のうち、有効な表示領域以外の領域から出射される光を反射鏡で反射することにより、この光を覗き見防止用の光源としても利用することができる。
【発明の効果】
【００２９】
本発明によれば、表示画面を正面側から見た場合の輝度を低下させることなく、表示画面を斜め方向から覗き込む場合の視認性を低下させることが可能である。例えば、覗き込み防止のための特別な光源（副光源）により、画面の斜め方向、つまり第３者が覗き込む方向に特別な光を出射することができるので、斜め方向から見た場合の視認性が低下する。また、表示光が特別な光学部材を透過するように構成しなくても、覗き込みに対する視認性を低下させることができるので、画面を正面方向から見た場合の輝度の低下は生じない。
【発明を実施するための最良の形態】
【００３０】
（第１の実施形態）
本発明の表示装置に関する具体的な１つの実施形態について、図面を参照しながら以下に説明する。
【００３１】
図１は本発明の第１の実施形態における表示装置の主要部の構成を示す斜視図である。図２は図１に示した表示装置を側方から見た状態の一部分を拡大して表す正面図である。
【００３２】
図１に示した表示装置は、透過型の液晶表示パネルを用いて構成する場合の構成例を表している。また、この表示装置の用途としては、例えば携帯電話端末の表示画面のように、所有者である特定のユーザは表示画面の正面側から表示内容を閲覧もしくは鑑賞し、更にユーザの友人あるいは第３者が表示画面の側方（斜め方向）から表示内容を覗き込む可能性があるような用途を想定している。つまり、ここでは、表示画面の正面側を表示方面としている。なお、透過型の液晶表示パネルの代わりとして、例えば有機ＥＬ（Organic Electro-Luminescence）のような自発光素子を用いた表示パネルを利用することもできる。
【００３３】
従って、特定のユーザが単独で、もしくはユーザとその友人等が同時に表示画面の表示内容を閲覧もしくは鑑賞する際には、表示装置の性能である視野角が広い方が望ましいが、画面の側方からユーザの希望しない第３者が覗き込む可能性が高い状況においては、個人情報等が第３者に盗み見られるのを防止するために、視野角を狭くする方が望ましい。図１に示した表示装置は、側方からの第３者の覗き込みに対して視認性を低下させるために特別な構成要素を備えている。
【００３４】
図１に示すように、この表示装置は、表示パネル本体１０とその下方に配置された平面状の照明用のバックライト２０とを備えている。表示パネル本体１０は、例えば平面状である。バックライト２０は、照明用線状光源２１と導光板２２と光拡散シート２３とを備えている。照明用線状光源２１、導光板２２、光拡散シート２３、および表示パネル本体１０は、表示部として機能する。
【００３５】
照明用線状光源２１は、導光板２２の側方に配置されており、図１に示すＹ軸方向に長く延びている。具体的な照明用線状光源２１については、例えば細長い形状の冷陰極管（蛍光管）を用いたり、発光ダイオードなどの複数の点光源を組み合わせることにより構成できる。導光板２２は、例えば薄板状に形成された光学材料であり、その側方に配置されている照明用線状光源２１の発光により得られる照明光を表示パネル本体１０の面全体に向かう方向に導く。光拡散シート２３は、透明なシート状の光学部材であり、導光板２２から出射された光が表示パネル本体１０の面の各位置で均一な照度になるように照明光を拡散する。
【００３６】
表示パネル本体１０は、透過型の液晶表示パネルであり、微細な画素の多数の集合として構成される矩形の表示領域を有している。すなわち、表示領域を構成する画素毎に液晶の状態を制御することにより、各画素の光の透過率を調整し、透過率の違いにより画像等の表示を行う。つまり、バックライト２０から出射される照明光の一部分が表示パネル本体１０をその厚み方向に透過し、図１および図２に示す矢印Ｚの方向に表示内容として現れる。ユーザは、表示パネル本体１０の正面、つまり表示面１２の上方からこの表示内容を閲覧することになる。
【００３７】
図１に示すように、表示パネル本体１０の矩形の表示領域の外側の位置に、覗き見防止用副光源３０が配置されている。この覗き見防止用副光源３０は、例えば線状光源であり、矢印Ｘ方向に細長く延びている。また、覗き見防止用副光源３０は表示パネル本体１０の表示面１２よりも少し高い位置（つまりＺ方向の高い位置）に、光軸が表示面１２側に向かうように配置されている。従って、覗き見防止用副光源３０から出射される光は矢印Ａ１で示すように表示面１２に対して傾斜した方向から表示面１２に入射し、その反射光は矢印Ａ２で示すように表示面１２に対して傾斜した方向に進む。
【００３８】
図１に示した制御部４０は、表示すべき情報に応じて表示パネル本体１０の各画素の透過率を制御したり、バックライト２０のオンオフ及び明るさを制御したり、覗き見防止用副光源３０のオンオフを制御する。
【００３９】
図１に示した覗き見防止用副光源３０の近傍に関する具体的な構成例が図２に示されている。なお、図２に示すＥ１は表示面１２の正面側にいるユーザの視点の位置（目の位置）を表し、Ｅ２は表示面１２を斜め方向から覗き込む第３者等の視点の位置（目の位置）を表している。
【００４０】
図２に示す例では、表示パネル本体１０の上方に透明な保護パネル１１が設けてあり、保護パネル１１の下面１１ａに覗き見防止用副光源３０を固定してある。覗き見防止用副光源３０を配置した位置は、表示パネル本体１０の表示領域Ｂ１の外側にある非表示領域Ｂ２の上方である。
【００４１】
図２に示す覗き見防止用副光源３０は、光源３１とそれが出射する光の方向を調整する導光板３２とで構成されている。光源３１については、例えば細長い形状の冷陰極管（蛍光管）を用いるか、あるいは発光ダイオードなどの点光源を１つ又は複数用いることにより構成できる。
【００４２】
導光板３２は、図２に示す例では放物面状の反射面を有しており、光源３１が出射した光を平行光として表示面１２に向けて導くと共に、光源３１から出射された光が直接Ｚ方向に向かわないように遮光している。つまり、光源３１から出射された光は導光板３２によってＡ１で示される斜め方向から表示パネル本体１０の表示面１２に入射し、表示面１２で反射した反射光は斜め方向であるＡ２方向に向かう。反射光の向かう方向（Ａ２）は、表示面１２に垂直な方向（Ｚ方向：正面側）に対して所定角度θだけ傾いている。角度θについては、例えば４５度以上に定めることが想定される。
【００４３】
なお、覗き見防止用副光源３０から出射され表示面１２で反射した反射光は、一部はＡ２以外の方向にも向かうが、Ａ２方向で最も照度が大きくなり、Ａ２方向からのずれが大きくなるに従って反射光の照度は小さくなる。従って、表示面１２の正面側、つまりＺ方向にあるユーザの視点（Ｅ１）の位置ではこの反射光はほとんど見えなくなる。
【００４４】
例えば図２に示すように、表示面１２をユーザの側方から覗き込もうとする第３者の視点（Ｅ２）の位置は、Ａ２方向に近い斜め方向にあるので、視点（Ｅ２）の位置で第３者が表示面１２を覗き込もうとする時には、覗き見防止用副光源３０から出射され表示面１２で反射した反射光が比較的大きな照度で余分な光として第３者の目に映ることになり、この反射光の影響によって表示面１２の表示内容に対する視認性が著しく低下する。従って、第３者の覗き見を防止することができる。一方、表示面１２の正面側である視点（Ｅ１）の位置から表示面１２を見るユーザについては、方向Ａ２との角度の違いが大きいため反射光の影響はほとんどなくなり、表示面１２の表示内容に対する視認性は低下しない。しかも、視野角を調整（覗き見防止）するために光透過率等を調整する特別な光学部材を設ける必要がないので、表示内容の輝度が低下することもない。
【００４５】
なお、覗き見防止用副光源３０をオフすれば、覗き見防止機能は解除されるので、図２に示す視点Ｅ２の位置でも表示面１２の表示内容に対する十分な視認性を確保することが可能である。従って、例えばユーザとそのユーザの希望する友人等とが同じ表示面１２に表示される内容（例えばテレビ番組）を同時に鑑賞するような用途にもこの表示装置を利用できる。
【００４６】
なお、図２では、表示パネル本体１０からＺ方向に距離ｄ１離間して保護パネル１１を設けた例を示しているが、この保護パネル１１を設けなくてもよい。
【００４７】
（第２の実施形態）
図３は本発明の第２の実施形態における表示装置の構成を示す正面図である。
本実施形態は第１の実施形態の変形例である。また、図３において第１の実施形態と対応する要素は同一の符号を付けて示してある。第１の実施形態と同一の要素については以下の説明を省略または簡略化する。
【００４８】
図３に示す表示装置においては、覗き見防止用副光源３０Ｂが、表示パネル本体１０の周辺の表示領域の外側にある非表示領域Ｂ２に相当する位置で、かつ表示面１２よりも図３において下側の位置に配置してある。また、保護パネル１１の下面１１ａの覗き見防止用副光源３０Ｂと対向する位置には、平面状の反射鏡３５が固定してある。また、保護パネル１１は備えられなくてもよく、その場合には、図３における保護パネル１１の位置が表示装置の上側端面となり、当該上側端面の下面１１ａの所定位置に反射鏡３５が固定されることになる。
【００４９】
覗き見防止用副光源３０Ｂは上方の斜め方向（Ａ０）に向かって光を出射し、この光が反射鏡３５で反射されて表示面１２の方向（Ａ１方向）に向かい、更に表示面１２で反射されて斜め上方（Ａ２方向）に向かう。
【００５０】
図３に示す構成例においては、覗き見防止用副光源３０Ｂの配置に関する自由度が高く、表示面１２の側部上方の位置には薄い反射鏡３５を配置するだけでよいため、覗き見防止用副光源３０Ｂが大きい場合であっても表示面１２と保護パネル１１との距離ｄ１を小さくすることが可能であり、表示装置の薄型化が可能になる。なお、図３では、保護パネル１１を設けた例を示しているが、この保護パネル１１を設けなくてもよい。
【００５１】
（第３の実施形態）
図４は本発明の第３の実施形態における表示装置の構成を示す正面図である。
本実施形態は第１の実施形態の変形例である。また、図４において第１の実施形態と対応する要素は同一の符号を付けて示してある。第１の実施形態と同一の要素については以下の説明を省略または簡略化する。
【００５２】
図４に示す表示装置においては、報知用に利用される光源３１Ｂを予め備えている場合を想定している。例えば、一般的な携帯電話端末では、着信を検知したような場合にそれを報知するための報知光源を搭載している場合が多いので、これを覗き見防止用副光源３０Ｃのための光源３１Ｂとして利用することができる。なお、光源３１Ｂとしては、線状光源や発光ダイオードのような点光源を用いる。
【００５３】
従って、図４に示した制御部４０Ｂは覗き見防止用副光源３０Ｃのために特別な制御を実施する。例えば、特定の報知信号（着信検知など）が制御部４０Ｂに入力された場合には、制御部４０Ｃは光源３１Ｂが点滅するように制御する。また、報知信号が入力されず、ユーザが覗き見防止機能をオン状態にしている時には光源３１Ｂをオンするよう制御する。また、ユーザが覗き見防止機能をオフ状態にしている時には光源３１Ｂをオフするよう制御する。オンオフを行う場合には、制御部４０Ｃは所定の制御信号を光源３１Ｂに送信し、光源３１Ｂはこの所定の制御信号に基づいて、オンオフを制御する。また、点滅するように制御してもよい。
【００５４】
なお、一般的な報知用の光源は表示装置の外側に向かって光を出射するが、図４に示す覗き見防止用副光源３０Ｃは導光板３２を備えており、図２に示した覗き見防止用副光源３０の場合と同様に表示面１２に向かう方向に光を出射する。
【００５５】
つまり、図４に示した構成では、報知用の光源と覗き見防止用副光源３０Ｃとを共用するので、必要な光源の数を減らすことができる。
【００５６】
なお、図４では、保護パネル１１を設けた例を示しているが、この保護パネル１１を設けなくてもよい。
【００５７】
（第４の実施形態）
図５（ａ）は本発明の第４の実施形態における表示装置の構成を示す正面図である。
本実施形態は第１の実施形態の変形例である。また、図５（ａ）において第１の実施形態と対応する要素は同一の符号を付けて示してある。第１の実施形態と同一の要素については以下の説明を省略または簡略化する。
【００５８】
図５に示す表示装置においては、それぞれが覗き見防止用副光源３０Ｄに相当する複数の独立した光源を互いに異なる位置に配置してある。図５では、省略して覗き見防止用副光源３０Ｄを１つだけ示している。各覗き見防止用副光源３０Ｄは、制御部４０Ｃにより制御される。
【００５９】
また、図５（ｂ）は本実施形態の表示装置の一部の上面図である。図５（ｂ）では、覗き見防止用副光源３０Ｄとして、覗き見防止用副光源３０Ｄ１〜３０Ｄ４の４つが設けてある。図５（ｂ）において、表示パネル本体１０の周囲に各覗き見防止用副光源３０Ｄが配置されている。具体的には、覗き見防止用副光源３０Ｄ１が、表示パネル本体１０周辺部の表示面１２に対して左端側に配置してある。また、覗き見防止用副光源３０Ｄ２が、表示パネル本体１０周辺部の表示面１２に対して右端側に配置してある。また、覗き見防止用副光源３０Ｄ３が、表示パネル本体１０周辺部の表示面１２に対して上端側に配置してある。また、覗き見防止用副光源３０Ｄ４は、表示パネル本体１０周辺部の表示面１２に対して下端側に配置してある。なお、覗き見防止用副光源３０Ｄの数は４つに限られない。
【００６０】
制御部４０Ｃは、例えば、周囲に存在する人間を検知するセンサ（図示せず）が出力する信号に基づき、あるいはユーザの入力操作に従って、覗き見防止用副光源３０Ｄ１〜３０Ｄ４の４つのオンオフを選択的に制御する。
【００６１】
例えば、覗き見防止用副光源３０Ｄ１をオンしてそれ以外の光源（３０Ｄ２〜３０Ｄ４）をオフすれば、図５に示すように斜め右側の視点（ＥＲ）から覗き込む人に対しては表示面１２からの反射光が映り込むため視認性が低下するが、斜め左側の視点（ＥＬ）から覗き込む人に対しては反射光が見えなくなるので視認性が低下しない。
【００６２】
同様に、制御部４０Ｃの制御により、例えば覗き見防止用副光源３０Ｄ１および３０Ｄ２をオンして覗き見防止用副光源３０Ｄ３および３０Ｄ４をオフすれば、左右方向からの覗き見だけを防止することが可能になり、覗き見防止用副光源３０Ｄ１および３０Ｄ２をオフして覗き見防止用副光源３０Ｄ３および３０Ｄ４をオンすれば、上下方向からの覗き見だけを防止することが可能になる。
【００６３】
このように、視認性を低下させたい方向のみを考慮した光源のオンオフ制御を行うことで、所望の方向のみ覗き見防止を行うことが可能となる。
【００６４】
なお、図５（ａ）では、保護パネル１１を設けた例を示しているが、この保護パネル１１を設けなくてもよい。
【００６５】
（第５の実施形態）
図６は本発明の第５の実施形態における表示装置の構成を示す正面図である。
本実施形態は第１の実施形態の変形例である。また、図６において第１の実施形態と対応する要素は同一の符号を付けて示してある。第１の実施形態と同一の要素については以下の説明を省略または簡略化する。
【００６６】
図６に示す表示装置においては、覗き見防止用副光源の出射する色、つまり出射する光の周波数帯を制御するための制御部４０Ｃを備えている。具体的には、覗き見防止用副光源３０Ｅは、赤色で発光するＲ色光源３１ｒ、緑色で発光するＧ色光源３１ｇ、青色で発光するＢ色光源３１ｂとして機能する。また、制御部４０Ｃは、光源のオンオフ制御も行う。
【００６７】
例えば、制御部４０ＤがＲ色光源３１ｒとしてオンすることにより、Ｒ色光源３１ｒから出射された赤色の光が表示面１２で反射され、この反射光が視点Ｅ２に向かうので、視点Ｅ２の位置から覗き込む人の目には赤色の光が映り込むことになり、表示面１２の表示内容の特に赤色成分に対して視認性が大きく低下する。
【００６８】
同様に、Ｇ色光源３１ｇとしてオンさせれば緑色成分に対する視認性を大きく低下させることができるし、Ｂ色光源３１ｂとしてオンさせれば青色成分に対する視認性を大きく低下させることができる。また、互いに色の異なる複数の光源（３１ｒ，３１ｇ，３１ｂ）を有し、これらの光源を同時にオンさせるように制御しても良い。
【００６９】
覗き見防止用副光源３０Ｅから出射する光の色（光の周波数帯）を指定する場合には、実際に表示パネル本体１０が表示している情報の内容（色情報）を制御部４０Ｄが分析することにより自動的に決定しても良いし、ユーザの入力操作に従って選択しても良い。
【００７０】
このように、特定の色、つまり特定の周波数帯のみを有する光を表示面１２に対して出射し、表示面１２で反射されることで、特定の色の視認性のみ低下させ、覗き見防止を図ることが可能となる。
【００７１】
なお、図６では、保護パネル１１を設けた例を示しているが、この保護パネル１１を設けなくてもよい。
【００７２】
（第６の実施形態）
図７は本発明の第６の実施形態における表示装置の構成を示す正面図である。
本実施形態は第１の実施形態の変形例である。また、図７において第１の実施形態と対応する要素は同一の符号を付けて示してある。第１の実施形態と同一の要素については以下の説明を省略または簡略化する。
【００７３】
図７に示した表示装置においては、表示パネル本体１０の照明として用いられるバックライト２０から出射される光のうち、表示（照明）に用いられていない非表示領域Ｂ２の光を、覗き見防止用副光源３０Ｆの光源として利用している。
【００７４】
すなわち、図７に示すようにバックライト２０は表示パネル本体１０よりも少し大きい（つまり、表示面１２と平行な面において面積が少し広い）形状であり、バックライト２０が非表示領域Ｂ２の一部である表示パネル本体１０の周辺部にはみ出しており、バックライト２０から一部の光が外側に漏れる構造になっているので、非表示領域Ｂ２にはみ出したバックライト２０の一部と対向する上方の位置（この例では保護パネル１１の下面１１ａ）に可動反射鏡３６が配置してあり、バックライトから上方に向かって図７中のＡ０方向に漏れる光を覗き見防止用副光源３０Ｆとして利用する。つまり、バックライト２０が覗き見防止用副光源３０Ｆと共用されている。
【００７５】
つまり、非表示領域Ｂ２にはみ出したバックライト２０の一部からＡ０方向に向かう光は表示パネル本体１０の側方を通過し、可動反射鏡３６の面で反射してＡ１方向に向かい、更に表示面１２で反射されてＡ２方向に向かう。
【００７６】
光の反射方向の調整や、覗き見防止機能のオンオフを可能にするために、可動反射鏡３６は可動構造になっている。すなわち、水平面（保護パネル１１の面と同じ）に対する可動反射鏡３６の平面状の反射面の傾きを変更することができる。
【００７７】
具体的な可動反射鏡３６の構造としては、微細な電気回路と機械的構造を一体化したＭＥＭＳ(Micro Electro Mechanical Systems)ミラーを用いても良いし、個別に作成した反射鏡とそれを揺動可能に支持する支持部と前記反射鏡の傾きを変えるための駆動部とを組み合わせて構成しても良い。
【００７８】
制御部４０Ｅは、可動反射鏡３６の傾きを調整することにより、表示面１２で反射する反射光の向きを調整するための制御と、覗き見防止機能のオンオフ制御とを実施する。例えば、表示パネル本体１０を常時表示状態に維持する場合には、バックライト２０も常時オン状態になるので、バックライト２０の側部から漏れ出した光は常時可動反射鏡３６に向かうことになる。そこで、覗き見防止機能をオフにする時には、可動反射鏡３６の反射面の傾きを例えば９０度（保護パネル１１の下面１１ａと平行）程度となるように、または可動反射鏡３６への入射光が表示領域Ｂ１と逆向き（図７において左向き）に反射されるように変更することにより、Ａ２方向に向かう反射光が生じないように切り替える。また、バックライト２０から漏れ出した光が届かない外側の位置に可動反射鏡３６の反射面を退避させるように位置を切り替えても良い。
【００７９】
また、可動反射鏡３６に代わり、ミラー液晶を用いても良い。ミラー液晶は、光学系内の高炉を通過する光速を反射または透過させる光学素子である。この場合、このミラー液晶に対して制御部４０Ｅが所定の信号を送り、光を反射させる状態および透過させる状態を変更する。これにより、覗き見防止機能が有効な場合には光を反射し、覗き見防止機能が無効な場合には光を透過させるようにすることができる。ミラー液晶を用いることで、可動反射鏡３６を可動させるために必要な可動反射鏡３６の周囲のスペースが不要となり、表示装置を更に小型化、薄型化することが可能となる。
【００８０】
このように、覗き見防止機能のためにバックライト２０から漏れ出した光を利用することにより、必要な光源の数を減らすことができる。
【００８１】
なお、保護パネル１１は備えられなくてもよく、その場合には、図７における保護パネル１１の位置が表示装置の上側端面となり、当該上側端面の下面１１ａの所定位置に可動反射鏡３６が配置されることになる。
【００８２】
（第７の実施形態）
図８は本発明の第７の実施形態における表示装置の構成を示す正面図である。
本実施形態は第１の実施形態の変形例である。また、図８において第１の実施形態と対応する要素は同一の符号を付けて示してある。第１の実施形態と同一の要素については以下の説明を省略または簡略化する。
【００８３】
図８に示した表示装置においては、表示パネル本体１０として、それ自身が発光するえ表示パネルを採用した場合を想定している。自発光表示パネルでは、例えば有機ＥＬ素子を用いる。
【００８４】
自発光表示パネルを用いる場合であっても、表示パネル本体１０には、実際の表示に利用される表示面１２の外側の周辺部には表示に利用されない非表示領域Ｂ２が存在する。また、非表示領域Ｂ２においても自発光表示パネルに発光が生じる。そこで、図８に示す構成においては、非表示領域Ｂ２にはみ出した表示パネル１０本体の一部と対向する上方の位置（この例では保護パネル１１の下面１１ａ）に可動反射鏡３６が配置してあり、表示パネル本体１０の側部から上方に向かって図８中のＡ０方向に漏れる光を覗き見防止用副光源３０Ｈとして利用する。つまり、表示パネル本体１０である自発光表示パネルが覗き見防止用副光源３０Ｈと共用されている。
【００８５】
つまり、非表示領域Ｂ２にはみ出した表示パネル本体１０からＡ０方向に向かう光は上方の可動反射鏡３６の面で反射してＡ１方向に向かい、更に表示面１２で反射されてＡ２方向に向かう。
【００８６】
光の反射方向の調整や、覗き見防止機能のオンオフを可能にするために、可動反射鏡３６は可動構造になっている。すなわち、水平面（保護パネル１１の面と同じ）に対する可動反射鏡３６の平面状の反射面の傾きを変更することができる。
【００８７】
具体的な可動反射鏡３６の構造としては、微細な電気回路と機械的構造を一体化したＭＥＭＳミラーを用いても良いし、個別に作成した反射鏡とそれを揺動可能に支持する支持部と前記反射鏡の傾きを変えるための駆動部とを組み合わせて構成しても良い。
【００８８】
制御部４０Ｅは、可動反射鏡３６の傾きを調整することにより、表示面１２で反射する反射光の向きを調整するための制御と、覗き見防止機能のオンオフ制御とを実施する。例えば、表示パネル本体１０を常時表示状態に維持する場合には、表示パネル本体１０から漏れる光が常時オン状態になり、常時この光が可動反射鏡３６に向かうことになる。そこで、覗き見防止機能をオフにする時には、可動反射鏡３６の反射面の傾きを例えば９０度（保護パネル１１の下面１１ａと平行）程度となるように、または可動反射鏡３６への入射光が表示領域Ｂ１と逆向き（図８において左向き）に反射されるように変更することにより、Ａ２方向に向かう反射光が生じないように切り替える。また、表示パネル本体１０から漏れ出した光が届かない外側の位置に可動反射鏡３６の反射面を退避させるように位置を切り替えても良い。
【００８９】
また、可動反射鏡３６に代わり、ミラー液晶を用いても良い。ミラー液晶は、光学系内の高炉を通過する光速を反射または透過させる光学素子である。この場合、このミラー液晶に対して制御部４０Ｅが所定の信号を送り、光を反射させる状態および透過させる状態を変更する。これにより、覗き見防止機能が有効な場合には光を反射し、覗き見防止機能が無効な場合には光を透過させるようにすることができる。ミラー液晶を用いることで、可動反射鏡３６を可動させるために必要な可動反射鏡３６の周囲のスペースが不要となり、表示装置を更に小型化、薄型化することが可能となる。
【００９０】
このように、覗き見防止機能のために表示パネル本体１０から漏れ出した光を利用することにより、必要な光源の数を減らすことができる。
【００９１】
なお、保護パネル１１は備えられなくてもよく、その場合には、図８における保護パネル１１の位置が表示装置の上側端面となり、当該上側端面の下面１１ａの所定位置に可動反射鏡３６が配置されることになる。
【産業上の利用可能性】
【００９２】
以上のように、本発明は、例えば携帯電話端末の表示部のように表示内容が表示面の側方から第３者に覗き見られる可能性があるような環境で使用される表示装置等に採用することができ、覗き見によるプライバシーの侵害等を防止するのに役立つ。しかも、視認性の高い視野角の範囲を制御するために表示光が通る経路上に透過率に影響を及ぼす特別な光学材料を追加する必要がないので、表示画面の輝度の低下を防止できる。
【図面の簡単な説明】
【００９３】
【図１】本発明の第１の実施形態における表示装置の主要部の構成を示す斜視図である。
【図２】本発明の第１の実施形態における表示装置を側方から見た状態の一部分を拡大して表す正面図である。
【図３】本発明の第２の実施形態における表示装置の構成を示す正面図である。
【図４】本発明の第３の実施形態における表示装置の構成を示す正面図である。
【図５】（ａ）本発明の第４の実施形態における表示装置の構成を示す正面図である。（ｂ）本発明の第４の実施形態における表示装置の一部の上面図である。
【図６】本発明の第５の実施形態における表示装置の構成を示す正面図である。
【図７】本発明の第６の実施形態における表示装置の構成を示す正面図である。
【図８】本発明の第７の実施形態における表示装置の構成を示す正面図である。
【符号の説明】
【００９４】
１０  表示パネル本体
１１  保護パネル
１１ａ  保護パネルの下面
１２  表示面
２０  バックライト
２１  照明用線状光源
２２  導光板
２３  光拡散シート
３０，３０Ｂ，３０Ｃ，３０Ｄ、３０Ｅ，３０Ｆ，３０Ｈ  覗き見防止用副光源
３１，３１Ｂ  光源
３１ｒ  Ｒ色光源
３１ｇ  Ｇ色光源
３１ｂ  Ｂ色光源
３２  導光板
３５  反射鏡
３６  可動反射鏡
４０，４０Ｂ，４０Ｃ，４０Ｄ，４０Ｅ  制御部
Ｂ１  表示領域
Ｂ２  非表示領域
Ｅ１，Ｅ２，Ｅ３，ＥＬ，ＥＲ  視点
【図１】
2009282225.tif 000003
【図２】
2009282225.tif 000004
【図３】
2009282225.tif 000005
【図４】
2009282225.tif 000006
【図５】
2009282225.tif 000007
【図６】
2009282225.tif 000008
【図７】
2009282225.tif 000009
【図８】
2009282225.tif 000010